(57)【特許請求の範囲】
【請求項１】
研削ロ−ル（１）を除糠スクリ−ン（２）により囲繞して研削ロ−ル（１）と除糠スクリ−ン（２）の間に形成した精穀室（３）内に、その精穀室（３）の供給がわから玄米を送り込み排出がわから白米を取り出すもので、排出がわ機壁（４）の外側に上昇気流が吹き上がる白米落下流路（５）を添設し、前記排出がわ機壁（４）に白米吐出口（６）を開口して精穀室（３）の排出がわを白米落下流路（５）に連通させ、該白米吐出口（６）を研削ロ−ル（１）の上周りがわに対応する排出がわの機壁（４）部分に開口するとともに、該白米吐出口（６）を研削ロ−ル（１）の回転軸芯を跨いで排出がわ機壁（４）の複数箇所に設けたことを特徴とする横形研削式精穀機の付着糠除去装置。
【請求項２】
白米落下流路（５）の上部がわを白米吐出口（６）よりも高位に開口した吸入口（７）を通して、前記除糠スクリ−ン（２）の外側周りに形成され吸引排出風が吹流する排糠室（８）に連通してあることを特徴とする請求項１．記載の横形研削式精穀機の付着糠除去装置。
【請求項３】
白米吐出口（６）脇を通過する研削ロ−ル（１）がわの端面部分に、この研削ロ−ル（１）内からの除糠風を吹出させる吐風口（９）を開口したことを特徴とする請求項１．または請求項２．記載の横形研削式精穀機の付着糠除去装置。
【請求項４】
吐風口（９）の回転先行がわに排出羽根（１０）を設けたことを特徴とする請求項３．記載の横形研削式精穀機の付着糠除去装置。
【発明の詳細な説明】
【０００１】
【発明の属する技術分野】
本発明は、横形研削式精穀機における精穀室の排出がわから取り出される白米表面に付着する糠を除去する付着糠除去装置に関するものである。
【０００２】
【従来の技術】
従来、上記のように横形研削式精穀機にあって、精穀室内における精白作用により生じた糠は除糠スクリ−ンから除糠風と共に漏出して除去されるようになっているが、精穀室内の精白作用による発熱の影響によって糠の除去が充分に行われず、白米の表面に付着して取り出されていることは周知のことである。
【０００３】
【発明が解決しようとする課題】
このように、従来の横形研削式精穀機において、精穀室の排出がわから取り出される白米の表面には糠が付着して白米の光沢を失い商品価値を損なうという欠点がある。
【０００４】
【課題を解決するための手段】
そこで、本発明はこの欠点を解消するために、研削ロ−ルを除糠スクリ−ンにより囲繞して研削ロ−ルと除糠スクリ−ンの間に形成した精穀室内に、その精穀室の供給がわから玄米を送り込み排出がわから白米を取り出すもので、排出がわ機壁の外側に上昇気流が吹き上がる白米落下流路を添設し、前記排出がわ機壁に白米吐出口を開口して精穀室の排出がわを白米落下流路に連通させ、該白米吐出口を研削ロ−ルの上周りがわに対応する排出がわの機壁部分に開口するとともに、該白米吐出口を研削ロ−ルの回転軸芯を跨いで排出がわ機壁の複数箇所に設けたことによって、白米落下流路における白米の落下行程が長くなって上昇気流による付着糠の除去作用が大になるとともに、白米の温度低下も有効に行われ、白米吐出口から白米落下流路に落下する白米の層が比較的薄くなって上昇気流による付着糠の分離除去が効果的になるのである。
【０００５】前記の白米落下流路の上部がわを白米吐出口よりも高位に開口した吸入口を通して、前記除糠スクリ−ンの外側周りに形成され吸引排出風が吹流する排糠室に連通したことによって、付着糠の除去作用がよくなるとともに、白米落下流路を吹き上がる上昇気流を起風するものを独立して設けるに及ばず安価になる。
【０００６】また、白米吐出口脇を通過する研削ロ−ルがわの端面部分に、この研削ロ−ル内からの除糠風を吹出させる吐風口を開口すると、精穀室の排出がわから白米吐出口を通って取り出される白米の取り出しと白米の温度低下が助長される。
【０００７】この場合、吐風口の回転先行がわに排出羽根を設けることによって、この排出羽根により白米の取り出しが一層助長されるとともに、排出羽根の背部は白米の密度が粗になって吐風口からの風の吹き出しをよくする。
【０００８】
【発明の実施の形態】
【実施例】
以下、本発明による付着糠除去装置について実施例図にしたがって説明すると、（１）・・・は研削ロ−ル、（２）は除糠スクリ−ン、（３）は研削ロ−ル（１）・・・を除糠スクリ−ン（２）により囲繞して研削ロ−ル（１）・・・と除糠スクリ−ン（２）の間に形成された精穀室、（１１）は送穀ロ−ル（１２）を内蔵した送穀室で、送穀室（１１）は精穀室（３）の供給がわに連通連設して精穀室（３）内に玄米を送り込み、（１３）は排出がわに取り付けた押え金で、送穀ロ−ル（１２）とによって研削ロ−ル（１）・・・を互いに接合し研削ロ−ル（１）・・・と送穀ロ−ル（１２）と共に回転軸（１４）に一体的に軸着され、（８）は除糠スクリ−ン（２）の外側周りに形成された排糠室であって、送風パイプ（１５）から矢印（イ）のように送入される風は送穀ロ−ル（１２）と研削ロ−ル（１）の空洞内を通って噴風口（１６）から除糠風となって精穀室（３）内に吹出し、排糠室（８）内には矢印（ロ）のように吸引排出風が吹流する構成になっている。
【０００９】
（１７）は送穀室（１１）への玄米供給用のホッパ−、（１８）と（１９）は排出がわに設けた操作部（２０）の操作により開閉するシャッタ−と送穀室（１１）への供給量の調節弁であり、（２１）は精穀室（３）の排出がわの底部に設けた白米出口でウエイト付きの圧力蓋（２２）が装着されて平常時はこの圧力蓋（２２）により閉状態になっている。
【００１０】
また、前記の除糠スクリ−ン（２）は研削ロ−ル（１）・・・の上周りがわと下周りがわとをそれぞれ囲繞する半円筒体の上側スクリ−ン（２ａ）と下側スクリ−ン（２ｂ）の各端部を折曲しその折曲部の間に可動フラップ（２３）と（２４）をそれぞれ列設するフラップ台（２５）と（２６）を介入連結し円筒形にして前記の精穀室（３）を形成している。
【００１１】
尚、可動フラップ（２５）は軸（２７）を支点にして矢印（ハ）のように、また、可動フラップ（２６）は軸（２８）を支点にして同様に回動調節可能になっている。
【００１２】
そして、（２９）は精穀室（３）の供給がわと排出がわの中途部において、下側スクリ−ン（２ｂ）上に研削ロ−ル（１）の回転軸芯と交差させて設けた弧状のストッププレ−トであって、このストッププレ−ト（２９）に対面する研削ロ−ル（１）がわの部分は研削ロ−ル（１）と（１）によって挟扼された平滑面を有するスペ−サ（３０）を対接させてストッププレ−ト（２９）により精穀室（３）の下周りがわを供給がわと排出がわとに仕切っている。
【００１３】
また、（３１）（３２）はストッププレ−ト（２９）から一定の間隔をおいて供給がわと排出がわの下側スクリ−ン（２ｂ）上と上側スクリ−ン（２ａ）の上にリング状に設けた固定フラップで、前記ストッププレ−ト（２９）およびこの固定フラップ（３１）（３２）は前記の列設するそれぞれの可動フラップ（２３）と（２４）を結ぶ円周線（Ｐ）上に合致させてある。
【００１４】
次に、（３３）は前記排出がわ機壁（４）の外側に添設されて精穀室（３）から取り出される白米の白米落下流路（５）を形成する白米取出ケ−スで、その上部がわは両側に延長し、その各延長部を吸入口（７）（７）を通して前記吸引排出風が吹流する排糠室（８）の上部に連通している。
【００１５】
また、この白米取出ケ−ス（３３）の上下中間部は前記回転軸（１４）を支承する軸受部（３４）の周りを取り囲むように両側に分岐して、その下部がわは前記白米出口（２１）から出る白米を受ける白米取出樋（３５）内の両側部分に連通させている。
【００１６】
そして、前記研削ロ−ル（１）の上周りがわに対応する排出がわ機壁（４）部分で、前記白米取出ケ−ス（３３）が分岐して研削ロ−ル（１）の回転軸芯を跨ぐ両側部分の複数箇所に白米吐出口（６）（６）を開口し、精穀室（３）の排出がわを白米落下流路（５）に連通させるとともに、その白米落下流路（５）の上部がわを白米吐出口（６）より高位に開口する吸入口（７）を通して排糠室（８）に連通してある。
【００１７】
また、精穀室（３）の排出がわで研削ロ−ル（１）と一体となって回転する押え金（１３）の前記白米吐出口（６）脇を通過する端面部分の周りにこの研削ロ−ル（１）の空洞内からの風を吹出させる数個の吐風口（９）・・・を開口し、その各吐風口（９）の回転先行がわには棒状の排出羽根（１０）が一体的に斜設されて、吐風口（９）はこの排出羽根（１０）の背部に開口しているのである。尚、排出羽根（１０）は後退角（α）をもたせて斜設してある。
【００１８】
これにより、ホッパ−（１７）内から送穀室（１１）に供給される玄米は送穀ロ−ル（１２）により連続的に精穀室（３）に送り込まれ研削ロ−ル（１）の回転によって精白作用を受けるのであって、この精白作用の間においてリング状の固定フラップ（３１）（３２）と弧状のストッププレ−ト（２９）およびフラップ台（２５）（２６）に列設する可動フラップ（２３）（２４）は排出がわに流動しようとする米粒に対して堰止作用を与えて滞留させて精穀室（３）内における充填度合いを高めるとともに、流動抵抗と排出がわへの誘導を調節し米粒の攪拌反転を旺盛にして精白作用を有効にし、精白作用によって生じた糠は除糠スクリ−ン（２）から排糠室（８）に漏出して吸引排出風により機外に排出され、白米は排出がわの白米吐出口（６）（６）から出て白米落下流路（５）に落下し、白米取出樋（３５）の両側部分から流下して取り出される。
【００１９】
このように、白米は精穀室（３）の排出がわの白米吐出口（６）（６）から白米落下流路（５）に落下して取り出されるようになるが、排出がわに至った白米は回転する排出羽根（１０）・・・により白米吐出口（６）がわに押しやられながら押え金（１３）に開口する吐風口（９）・・・から吹出する風によって白米吐出口（６）（６）から円滑に白米落下流路（５）に出て落下し、この白米落下流路（５）を矢印（ニ）のように吹き上がる上昇気流により白米に付着する糠は分離して上昇し吸入口（７）（７）から排糠室（８）に入り、除糠スクリ−ン（２）から漏出した糠と一緒になって機外に排出されるようになって付着糠が除去されるのである。
【００２０】
また、前記白米出口（２１）は圧力蓋（２２）により平常時は閉状態になっているが、精穀室（３）内に送り込まれる玄米の過多等によって精穀室（３）内の圧力が異常に高くなると圧力蓋（２２）を押し開き白米出口（２１）からも白米が流出するようになる。
【００２１】
【発明の効果】
本発明は、以上説明したような形態で実施され、次に記載するような効果を奏する。
【００２２】
即ち、研削ロ−ル（１）を除糠スクリ−ン（２）により囲繞して研削ロ−ル（１）と除糠スクリ−ン（２）の間に形成した精穀室（３）内に、その精穀室（３）の供給がわから玄米を送り込み排出がわから白米を取り出すもので、排出がわ機壁（４）の外側に上昇気流が吹き上がる白米落下流路（５）を添設し、前記排出がわ機壁（４）に白米吐出口（６）を開口して精穀室（３）の排出がわを白米落下流路（５）に連通させ、該白米吐出口（６）を研削ロ−ル（１）の上周りがわに対応する排出がわの機壁（４）部分に開口するとともに、該白米吐出口（６）を研削ロ−ル（１）の回転軸芯を跨いで排出がわ機壁（４）の複数箇所に設けてあるから、白米吐出口（６）を研削ロ−ル（１）の上周りがわに対応する排出がわの機壁（４）部分に開口することにより、白米落下流路における白米の落下行程が長くなって上昇気流による付着糠の除去作用が大になるとともに、白米の温度低下も有効に行え、白米吐出口（６）から白米落下流路に落下する白米の層が比較的薄くなって上昇気流による付着糠の分離除去を効果的にすることができる。
【００２３】
白米落下流路（５）の上部がわを白米吐出口（６）よりも高位に開口した吸入口（７）を通して、前記除糠スクリ−ン（２）の外側周りに形成され吸引排出風が吹流する排糠室（８）に連通したことによって、付着糠の除去作用がよくなるとともに、白米落下流路を吹き上がる上昇気流を起風するものを独立して設けるに及ばず安価に提供できる。
【００２４】
また、白米吐出口（６）脇を通過する研削ロ−ル（１）がわの端面部分に、この研削ロ−ル（１）内からの除糠風を吹出させる吐風口（９）を開口したから、精穀室（３）の排出がわから白米吐出口を通って取り出される白米の取り出しと白米の温度低下を助長することができるのである。
【００２５】
この場合、吐風口（９）の回転先行がわに排出羽根（１０）を設けることによって、この排出羽根（１０）により白米の取り出しが一層助長されるとともに、排出羽根（１０）の背部は白米の密度が粗になって吐風口（９）からの風の吹き出しがよくなる。
【図面の簡単な説明】
【図１】横形研削式精穀機の縦断側面図である。
【図２】同精穀機を排出がわから見る正面図である。
【図３】図１におけるＡ−Ａ線とＢ−Ｂ線の断面図である。
【図４】図１におけるＣ−Ｃ線の断面図である。
【図５】除糠スクリ−ン部分の展開図である。
【図６】研削ロ−ルの排出がわを同がわから見た図である。
【符号の説明】
１    研削ロ−ル
２    除糠スクリ−ン
３    精穀室
４    排出がわ機壁
５    白米落下流路
６    白米吐出口
７    吸入口
８    排糠室
９    吐風口
１０  排出羽根
【図１】
0003936040.tif 000002
【図２】
0003936040.tif 000003
【図３】
0003936040.tif 000004
【図４】
0003936040.tif 000005
【図５】
0003936040.tif 000006
【図６】
0003936040.tif 000007